【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
明度値の異なる複数のパターンを投射する投射部と、
前記投射部により投射された前記複数のパターンを撮影する撮像部と、
前記撮像部により撮影された前記複数のパターンのいずれかに基づいて、前記投射部が投射するときの投射状態を調整する投射状態調整部と、
を備えること
を特徴とするプロジェクター。
【請求項２】
前記投射状態調整部は、前記複数のパターンのうち、所定の範囲内の明度値で撮影されたパターンに基づいて、前記投射状態を調整すること
を特徴とする請求項１に記載のプロジェクター。
【請求項３】
前記投射状態調整部は、前記投射部が投射するときの台形歪みを補正すること
を特徴とする請求項１または請求項２に記載のプロジェクター。
【請求項４】
前記投射状態調整部は、前記投射部のフォーカス調整を行うこと
を特徴とする請求項１から請求項３のいずれか一項に記載のプロジェクター。
【請求項５】
前記撮像部により撮影された前記複数のパターンのいずれかに基づいて前記撮像部が撮影するときの撮影条件を調整する撮影条件調整部を備えること
を特徴とする請求項１から請求項４のいずれか一項に記載のプロジェクター。
【請求項６】
前記撮影条件調整部は、前記撮像部の露出、および前記撮像部に備わるアナログデジタル変換回路のゲイン値の少なくとも一方を調整すること
を特徴とする請求項５に記載のプロジェクター。
【請求項７】
測定パターンと、前記測定パターンよりも明度値が低い補助パターンとを含むパターン画像を投射する投射部と、
前記投射部により投射された前記パターン画像を撮影する撮像部と、
前記撮像部で撮影された前記測定パターンの明度値が飽和している場合に、前記補助パターンの明度値に基づいて、前記撮像部の撮影条件を調整する撮影条件調整部と、
前記撮影条件調整部によって調整された撮影条件で撮影された測定パターンに基づいて、前記投射部が投射するときの投射状態を調整する投射状態調整部と、
を備えること
を特徴とするプロジェクター。
【請求項８】
プロジェクターが明度値の異なる複数のパターンを投射する第１のステップと、
投射された前記複数のパターンを撮影する第２のステップと、
前記第２のステップにおいて撮影された前記複数のパターンのいずれかに基づいて、前記プロジェクターの投射状態を調整する第３のステップと、
を有すること
を特徴とする調整方法。
【手続補正２】
【補正対象書類名】明細書
【補正対象項目名】００１０
【補正方法】変更
【補正の内容】
【００１０】
（３）また、本発明の一態様は、前記投射状態調整部は、前記投射部が投射するときの台形歪みを補正することを特徴とするプロジェクターである。
【手続補正３】
【補正対象書類名】明細書
【補正対象項目名】００１１
【補正方法】変更
【補正の内容】
【００１１】
この構成によれば、プロジェクターは、撮影した明度値の異なる複数のパターンに基づいて台形歪みを補正することができる。
【手続補正４】
【補正対象書類名】明細書
【補正対象項目名】００３２
【補正方法】変更
【補正の内容】
【００３２】
パターン記憶部１６は、パターン画像を記憶する。補正部１５は、映像入力部１７からの入力画像信号の代わりに、パターン記憶部１６からパターン画像を読み出し、読み出したパターン画像を投射部１８に投射させることができる。
映像入力部１７は、外部（例えば、パソコン）から画像信号の入力を受け付ける。映像入力部１７は、受け付けた画像信号を入力画像信号として補正部１５に出力する。
投射部１８は、放電ランプ、液晶パネル、分光素子、偏光素子、投射レンズ（いずれも図示せず）などを備え、補正部１５から入力される出力画像信号を投影面ＳＣに投射画像として投射する。
【手続補正５】
【補正対象書類名】明細書
【補正対象項目名】００４１
【補正方法】変更
【補正の内容】
【００４１】
これにより、プロジェクター１は、撮影した明度値の異なる複数のパターンのいずれかを選択することで投射状態を短時間で調整することができるため、自動補正機能の処理時間を短縮できる。このため、プロジェクターを設置するときのユーザーの利便性を向上させることができる。
【手続補正６】
【補正対象書類名】明細書
【補正対象項目名】００４９
【補正方法】変更
【補正の内容】
【００４９】
ステップＳＴ２０３において、解析部１２Ａは、各測定パターン部において、抽出した補助点および測定点の中から、適切な明るさで撮影されている測定点または補助点を１つ選択する。具体的には、解析部１２Ａは、画像情報を解析し、各測定パターン部に含まれる測定点と当該測定点の近傍に複数配置された補助点の中から、明度値が所定の範囲内である測定点または補助点を１つずつ抽出する。解析部１２Ａは、撮影画像の画像情報と、抽出した測定点または補助点を表すパターン情報とを算出部１４Ａに出力する。
【手続補正７】
【補正対象書類名】明細書
【補正対象項目名】００５２
【補正方法】変更
【補正の内容】
【００５２】
このように、本実施形態によれば、プロジェクター１Ａは、明度値の異なる複数のパターンを投射する投射部１８と、投射部１８により投射された複数のパターンを撮影する撮像部１１と、撮像部１１により撮影された複数のパターンのいずれかに基づいて、投射部１８が投射するときの投射状態を調整する投射状態調整部（補正部１５）と、を備える。
【手続補正８】
【補正対象書類名】明細書
【補正対象項目名】００５３
【補正方法】変更
【補正の内容】
【００５３】
これにより、プロジェクター１Ａは、撮影した明度値の異なる複数のパターンのいずれかを選択することで投射状態を短時間で調整することができるため、自動補正機能の処理時間を短縮できる。このため、プロジェクターを設置するときのユーザーの利便性を向上させることができる。
【手続補正９】
【補正対象書類名】明細書
【補正対象項目名】００５４
【補正方法】変更
【補正の内容】
【００５４】
なお、上述した各実施形態において４つの測定パターン部を含むパターン画像を用いて説明したが、１つの測定パターン部のみを含むパターン画像を用いてもよいし、複数の測定パターン部を含むパターン画像を用いてもよい。また、複数の補助点を測定点の周囲に配置したが、複数の補助点を測定点の近傍に横一列や縦一列に配置してもよし、測定点の近傍に配置されればどのように配置されても構わない。また、測定パターン部に４つの補助点が含まれる場合を説明したが、１つの補助点のみが含まれてもよいし、２つ以上の補助点が含まれてもよい。
また、プロジェクター１、１Ａから斜め上向きに画像を投射する場合には、投射画像の下側が上側と比べて明るくなりやすい。このような場合には、投射画像の下側の測定点が飽和しやくなるため、下側の測定パターン部のみに補助点を配置してもよい。また、この逆で、プロジェクター１、１Ａから斜め下向きに画像を投射する場合には、投射画像の上側が下側と比べて明るくなりやすい。このような場合には、投射画像の上側の測定点が飽和しやすくなるため、上側の測定パターン部のみに補助点を配置してもよい。また、プロジェクター１、１Ａの投射画像において、明度値が高いところと、明度値が低いところの差異があることが想定できるとき、投射画像において明度値の高いところに配置する補助点の明度値と、明度値の低いところに配置する補助点の明度値と、で異なる明度値の補助点を配置してもよい。